(57)【要約】【課題】繰り出し側ロールのウェブ状部材の弛みの増大を抑制する。【解決手段】払拭カートリッジ１００は、ウェブ２と、ウェブ２が巻き回された繰り出しロール２Ａからウェブ２が繰り出される繰り出しローラ３と、繰り出しローラ３から繰り出されるウェブ２を巻取りロール２Ｂとして巻き取る巻取りローラ６とを備え、繰り出し側ロール２Ａから繰り出されるウェブ２の最外周の巻き部分２ａと最外周の巻き部分２ａが重なる内側の巻き部分２ｂとの間に仕切り部材７が挟まれて配置されている。【選択図】図６
2020040238.tif 000002
【特許請求の範囲】
【請求項１】
ウェブ状部材を巻き回した繰り出し側ロールと、
前記ウェブ状部材を巻き取る巻取り側ロールの軸芯部材と、を備え、
前記繰り出し側ロールから繰り出される前記ウェブ状部材の最外周の巻き部分と前記最外周の巻き部分が重なる内側の巻き部分との間に仕切り部材が挟まれて配置されている
ことを特徴とするロールユニット。
【請求項２】
前記仕切り部材はシート状部材である
ことを特徴とする請求項１に記載のロールユニット。
【請求項３】
前記仕切り部材の先端部は、最外周の前記ウェブ状部材が前記繰り出し側ロールから繰り出される位置よりも繰り出し方向上流側まで潜り込んでいる
ことを特徴とする請求項１又は２に記載のロールユニット。
【請求項４】
前記仕切り部材は可撓性を有している
ことを特徴とする請求項１又は２に記載のロールユニット。
【請求項５】
前記仕切り部材と前記ウェブ状部材との静止摩擦係数は、前記ウェブ状部材同士の静止摩擦係数よりも小さい
ことを特徴とする請求項１ないし４のいずれかに記載のロールユニット。
【請求項６】
前記ウェブ状部材は前記繰り出し側ロールの上方に向けて繰り出され、
前記仕切り部材の先端部は前記繰り出し側ロールの軸心よりも下方に位置している
ことを特徴とする請求項１ないし５のいずれかに記載のロールユニット。
【請求項７】
ウェブ状部材を巻き回した繰り出し側ロールと、
前記繰り出し側ロールから繰り出される前記ウェブ状部材を巻き取る巻取り側ロールの軸芯部材と、を備え、
前記繰り出し側ロールから繰り出される前記ウェブ状部材に最初に接触するガイド部材を有し、
前記ガイド部材は、前記繰り出し側ロールからの前記ウェブ状部材の繰り出し位置が、前記繰り出し側ロールの軸心よりも鉛直方向下方になる位置に配置されている
ことを特徴とするロールユニット。
【請求項８】
前記ガイド部材がローラ部材である
ことを特徴とする請求項７に記載のロールユニット。
【請求項９】
ウェブ状部材を巻き回した繰り出し側ロールと、
前記ウェブ状部材を巻き取る巻取り側ロールの軸芯部材と、を備え、
前記繰り出し側ロールから繰り出される前記ウェブ状部材の最外周の巻き部分と前記最外周の巻き部分が重なる内側の巻き部分との間に仕切り部材が挟まれて配置されている
ことを特徴とするロール装置。
【請求項１０】
ウェブ状部材を巻き回した繰り出し側ロールと、
前記繰り出し側ロールから繰り出される前記ウェブ状部材を巻き取る巻取り側ロールの軸芯部材と、を備え、
前記繰り出し側ロールから繰り出される前記ウェブ状部材に最初に接触するガイド部材を有し、
前記ガイド部材は、前記繰り出し側ロールからの前記ウェブ状部材の繰り出し位置が、前記繰り出し側ロールの軸心よりも鉛直方向下方になる位置に配置されている
ことを特徴とするロール装置。
【請求項１１】
前記ウェブ状部材が払拭部材である
ことを特徴とする請求項９又は１０に記載のロール装置。
【請求項１２】
液体吐出ヘッドのメンテナンスを行うヘッドメンテナンス装置であって、
前記液体吐出ヘッドのノズル面を払拭する請求項１１に記載のロール装置を備えている
ことを特徴とするヘッドメンテナンス装置。
【請求項１３】
液体を吐出する液体吐出ヘッドと、
前記液体吐出ヘッドのノズル面を払拭する請求項１１に記載のロール装置、又は、請求項１２に記載のヘッドメンテナンス装置と、を備えている
ことを特徴とする液体を吐出する装置。
【発明の詳細な説明】
【技術分野】
【０００１】
本発明はロールユニット、ロール装置、払拭装置、ヘッドメンテナンス装置、液体を吐出する装置に関する。
【背景技術】
【０００２】
例えば、液体を吐出する液体吐出ヘッドを使用する場合、ノズルの状態を維持回復するため、ノズル面をキャッピングするキャップ、ノズル面を払拭清掃する払拭装置などを含む維持回復機構（メンテナンス装置）を備える。
【０００３】
従来、ノズル面を払拭する払拭部材としてウェブを使用するものが知られている（特許文献１）。また、ウェブの繰り出しローラ及び巻取りローラにそれぞれモータを接続して、繰り出しローラへの巻戻しを行えるようにしたものが知られている（特許文献２）。
【先行技術文献】
【特許文献】
【０００４】
【特許文献１】特許第５４６７１１７号公報
【特許文献２】特開２０１０−２６４６７５号公報
【発明の概要】
【発明が解決しようとする課題】
【０００５】
ところで、ウェブ状部材を使用して、巻取り側ロールに駆動源を接続し、繰り出し側ロールを自由回転させる構成とした場合、巻取り側ロールが停止したときに、繰り出し側ロールが追従できずに余分に回転し、ウェブ状部材が弛むことがある。
【０００６】
この場合、繰り出し側ロールの最外周の巻き部分と内側の巻き部分とが重なる重なり部分があると、次の巻取り動作を行ったときに、重なり部分で生じる摩擦によって繰り出し側ロールが回転し、弛んだ部分だけを巻き取ることが難しくなる。そのため、弛みが徐々に大きくなるという課題がある。
【０００７】
本発明は上記の課題に鑑みてなされたものであり、繰り出し側ロールのウェブ状部材の弛みの増大を抑制することを目的とする。
【課題を解決するための手段】
【０００８】
上記の課題を解決するため、本発明の請求項１に係るロールユニットは、
ウェブ状部材を巻き回した繰り出し側ロールと、
前記ウェブ状部材を巻き取る巻取り側ロールの軸芯部材と、を備え、
前記繰り出し側ロールから繰り出される前記ウェブ状部材の最外周の巻き部分と前記最外周の巻き部分が重なる内側の巻き部分との間に仕切り部材が挟まれて配置されている
構成とした。
【発明の効果】
【０００９】
本発明によれば、繰り出し側ロールのウェブ状部材の弛みの増大を抑制することができる。
【図面の簡単な説明】
【００１０】
【図１】本発明の第１実施形態に係るロールユニットとしての払拭カートリッジの外観斜視説明図である。
【図２】同払拭カートリッジを図１とは反対側から見た外観斜視説明図である。
【図３】同払拭カートリッジの平面説明図である。
【図４】同払拭カートリッジの正面説明図である。
【図５】同払拭カートリッジの側面説明図である。
【図６】同払拭カートリッジの内部側面説明図である。
【図７】本発明に係るロール装置としての払拭装置の側面説明図である。
【図８】払拭カートリッジにおけるウェブの這い回しにおけるウェブの払拭面と繰り出し側ロールの表面との関係の説明に供する説明図である。
【図９】同じくウェブの払拭面と巻取り側ロールの表面との関係の説明に供する説明図である。
【図１０】払拭カートリッジにおけるウェブの弛みの発生の説明に供する説明図である。
【図１１】同じく巻取り動作を行ったときの説明に供する説明図である。
【図１２】案内ローラと繰り出し側ロールとの第１例の配置構成におけるウェブの弛みの状態の説明図である。
【図１３】案内ローラと繰り出し側ロールとの第２例の配置構成におけるウェブの弛みの状態の説明図である。
【図１４】案内ローラと繰り出し側ロールとの第３例の配置構成におけるウェブの弛みの状態の説明図である。
【図１５】案内ローラと繰り出し側ロールとの第１例の配置構成におけるウェブの弛みと巻取り動作の説明図である。
【図１６】案内ローラと繰り出し側ロールとの第３例の配置構成におけるウェブの弛みと巻取り動作の説明図である。
【図１７】案内ローラと繰り出し側ロールとの第１例及び第３例の配置構成における払拭ユニットの必要可動スペースの説明に供する側面説明図である。
【図１８】第１実施形態に係る払拭カートリッジにおける巻取り動作の説明に供する側面説明図である。
【図１９】第１実施形態に係る払拭カートリッジにおける払拭動作に伴う繰り出し側ロール及び巻取り側ロールの遷移状態の説明に供する側面説明図である。
【図２０】同じく図１９に続く遷移状態の説明に供する側面説明図である。
【図２１】同じく図２０に続く遷移状態の説明に供する側面説明図である。
【図２２】本発明の第２実施形態に係る払拭ユニット（ロールユニット）として払拭カートリッジの側面説明図である。
【図２３】同じくウェブの弛みが発生した状態の側面説明図である。
【図２４】本発明に係る液体を吐出する装置の一例の機構部の平面説明図である。
【図２５】同じく要部側面説明図である。
【発明を実施するための形態】
【００１１】
以下、本発明の実施の形態について添付図面を参照して説明する。本発明の第１実施形態について図１ないし図６を参照して説明する。図１は同実施形態に係るロールユニットとしての払拭カートリッジの外観斜視説明図、図２は同払拭カートリッジを図１とは反対側から見た外観斜視説明図である。図３は同払拭カートリッジの平面説明図、図４は同払拭カートリッジの正面説明図、図５は同払拭カートリッジの側面説明図である。図６は同払拭カートリッジの内部側面説明図である。
【００１２】
払拭カートリッジ１００は、シート状部材である払拭部材としてのウェブ２をロール状に巻き回した繰り出し側ロール２Ａの軸芯部材である繰り出しローラ３と、繰り出し側ロール２Ａから繰り出されるウェブ２を巻き取る巻取り側ロール２Ｂの軸芯部材である巻取りローラ６とを備えている。
【００１３】
なお、初期状態では巻取りローラ６にウェブ２が巻き取られていない状態であるが、説明を明確にするため、図６では、巻取り側ロール２Ｂが形成されている状態で示している。
【００１４】
ウェブ２としては、吸収性を有し、少なくとも使用する液体に対して耐液性を有するとともに、毛羽立ちや発塵を生じないシート状の材料からなることが好ましく、例えば、不織布、布、フィルム、紙などが挙げられる。
【００１５】
ウェブ２は、繰り出しローラ３の繰り出し側ロール２Ａから繰り出され、案内ローラ８、９と、搬送ローラ４、５を経て、巻取りローラ６に巻取り側ロール２Ｂとして巻き取られる。ここでは、繰り出し側ロール２Ａからの繰り出し側と巻取り側ロール２Ｂへの巻取り側を対向させている。
【００１６】
これらの繰り出しローラ３、巻取りローラ６、案内ローラ８、９と、搬送ローラ４、５は、払拭カートリッジ１００の二分割可能なカートリッジケース１０１（１０１Ａ、１０１Ｂ）に回転可能に保持されている。
【００１７】
そして、繰り出しローラ３及び巻取りローラ６の内の一方の軸芯部材である繰り出しローラ３は、カートリッジケース１０１に形成したガイド溝１０２に移動可能に保持し、他方の軸芯部材である巻取りローラ６に対して相対移動可能に配置している。
【００１８】
ここで、ガイド溝１０２は、一方の軸芯部材である繰り出しローラ３が、他方の軸芯部材である巻取りローラ６から離れながら斜め上方向に向かって移動可能な湾曲形状に形成している。
【００１９】
これにより、繰り出しローラ３は、初期において、繰り出し側ロール２Ａの自重によって、ガイド溝１０２の下端位置に移動して、巻取りローラ６との距離が最も近付いた位置になる。
【００２０】
また、２つの搬送ローラ４、５の間には、ウェブ２を払拭対象に押し付ける押し付け部材１１が配置されている。押し付け部材１１は、払拭対象にウェブ２を接触させるときには、スプリング１２によって所定の押し付け力でウェブ２を払拭対象に押し付ける。
【００２１】
搬送ローラ４にはコードホイール１４が取付けられている。
【００２２】
また、図６に示すように、繰り出し側ロール２Ａから繰り出されるウェブ２の最外周の巻き部分２ａと最外周の巻き部分２ａが重なる内側の巻き部分２ｂとの間に、仕切り部材１７が挟まれて配置されている。
【００２３】
仕切り部材１７の先端部１７ａは、巻き方向に対してカウンタとなる方向から、ウェブ２の最外周の巻き部分２ａと巻き部分２ｂとの間に差し込まれている。仕切り部材１７の後端部は、カートリッジケース１０１に形成した仕切り部材支持部１８に保持されている。
【００２４】
この構成により、最外周の巻き部分２ａと最外周の巻き部分２ａが重なる内側の巻き部分２ｂとが直接接触していないため、最外周の巻き部分２ａが繰り出されるときに内側の巻き部分２ｂとの摩擦力で繰り出し側ロール２Ａが回転することが防止される。
【００２５】
したがって、繰り出し側ロール２Ａのウェブ２に弛みが発生した場合でも、最外周の巻き部分２ａのみを繰り出して弛みを解消した後、繰り出し側ロール２Ａが回転することになり、ウェブ２の弛みが増大することを抑制できる。
【００２６】
ここで、仕切り部材１７は、マイラシートなどの可撓性部材で形成することが好ましい。これにより、繰り出し側ロール２Ａの巻き径の変化に応じて仕切り部材１７が追従して変位することができる。
【００２７】
また、仕切り部材１７は、ウェブ２との間の静止摩擦係数が、ウェブ２同士の静止摩擦係数よりも小さいことが好ましい。このような仕切り部材１７は、上記したマイラシートで構成することができる。
【００２８】
また、鉛直方向において、ウェブ２は繰り出し側ロール２Ａから上方に繰り出し、仕切り部材１７は先端部１７ａが繰り出し側ロール２Ａの軸心Ｏよりも下方に位置するように配置している。
【００２９】
これにより、ウェブ２が弛んだときに、最外周の巻き部分２ａが内側の巻き部分２ｂと直接接触することがなくなり、最外周の巻き部分２ａを繰り出すときに弛みが解消されるまで、繰り出し側ロール２Ａを回転させることなく、弛んだ部分を送ることができる。
【００３０】
次に、本発明に係るロール装置としての払拭装置について図７を参照して説明する。図７は払拭カートリッジを含む払拭装置の側面説明図である。
【００３１】
この払拭装置１は、液体を吐出する装置の液体吐出ヘッド（以下、「ヘッド」ともいう。）４１１のノズル面４１１ａを払拭対象とする。
【００３２】
そして、ロールユニット（ここでは、払拭ユニット）としての払拭カートリッジ１００が移動部材３０上に着脱自在に装着される。
【００３３】
移動部材３０には、払拭カートリッジ１００を装着したときに巻取りローラ６に設けたギヤ３９と噛み合う伝達機構３７と、伝達機構３７を介して巻取りローラ６を回転させる巻取りモータ３８を備えている。
【００３４】
また、移動部材３０には、払拭カートリッジ１００のコードホイール１４に形成したパターンを検出する透過型フォトセンサからなるエンコーダセンサ１５を設けている。これらのコードホイール１４とエンコーダセンサ１５によってウェブ２の移動距離（送り量）を検出するエンコーダ１６を構成している。
【００３５】
移動部材３０は、ヘッド４１１のノズル配列方向である矢印Ｙ方向に往復移動可能に配置されている。この移動部材３０の払拭方向Ｙ１への移動は、ラック３１及びピニオン３２と、ピニオン３２を回転させる移動部材移動モータ３３を含む移動機構、或いは、タイミングベルトとプーリを含む移動機構などで行うことができる。
【００３６】
また、移動部材３０は、ウェブ２がノズル面４１１ａに対して進退する方向、ここでは上下方向に移動可能（昇降可能）に配置されている。移動部材３０の昇降は、例えばカム３５と、カム３５を回転させる移動部材昇降モータ３６を含む昇降機構、或いは、ラック・ピニオンを含む昇降機構などで行うことができる。
【００３７】
次に、払拭装置１による払拭動作について説明する。
【００３８】
払拭装置１によってヘッド４１１のノズル面４１１ａを払拭するときには、移動部材３０が上昇して、ヘッド４１１のノズル面４１１ａの払拭開始となる一端部に、ウェブ２が押し付け部材１１により所定の押し付け力で押付けられる。
【００３９】
そして、移動部材３０が払拭方向（Ｙ１方向）に移動されることで、ウェブ２によってノズル面４１１ａに残留している液体（廃液という）が払拭ないし吸収されて除去される。
【００４０】
その後、又は、次の払拭動作の前に、巻取りローラ６を回転させてウェブ２を巻取り側ロール２Ｂに巻取り、ウェブ２の未使用部分が次に払拭するときにノズル面４１１ａに接触するようにする。なお、巻取りローラ６を回転させてウェブ２を巻取り側ロール２Ｂに巻取りながら、つまり、ウェブ２を送りながら払拭を行うこともできる。
【００４１】
次に、払拭カートリッジにおけるウェブの這い回しについて図８及び図９を参照して説明する。図８はウェブの払拭面と繰り出し側ロールの表面との関係の説明に供する説明図である、図９はウェブの払拭面と巻取り側ロールの表面との関係の説明に供する説明図である。なお、図８及び図９では、繰り出し側ロール２Ａから繰り出されたウェブ２が最初に接触する部材としての案内ローラ８のみを図示している。
【００４２】
まず、図８（ａ）に示すように、ウェブ２の払拭面が繰り出し側ロール２Ａの表面と異なる面になるようにウェブ２を這い回す。
【００４３】
これにより、繰り出し側ロール２Ａの表面に紙粉やほこりなどの汚れ、異物（以下、「付着物」という）３００が付着したとき、付着物３００が付着している面は払拭面とならない。したがって、払拭時に付着物３００が払拭面に転移することがなくなる。
【００４４】
これに対し、図８（ｂ）に示すように、ウェブ２の払拭面と繰り出し側ロール２Ａの表面とが同じ面になるようにウェブ２を這い回すと、付着物３００が付着した面で払拭することになる。そのため、付着物３００払拭面に転移し、あるいは、ノズル内に押し込まれて吐出不良が発生する。
【００４５】
次に、図９（ａ）に示すように、ウェブ２の払拭面と巻き取り側ロール２Ｂの表面が異なる面になるようにウェブ２を這い回す。
【００４６】
これにより、ヘッド４１１のノズル面４１１ａを払拭することでウェブ２に転移した廃液３０１が巻取り側ロール２Ｂに巻き込まれるようにウェブ２が巻き取られ、巻取り側ロール２Ｂの表面に廃液３０１が露出しない。
【００４７】
これに対し、図９（ｂ）に示すように、ウェブ２の払拭面と巻き取り側ロール２Ｂの表面が同じ面になるようにウェブ２を這い回すと、廃液３０１が巻取り側ロール２Ｂの表面に露出した状態でウェブ２が巻き取られる。そのため、払拭カートリッジ（ワイピングユニット）の交換を行うときになどにユーザーが触れやすく、ユーザーの手を汚しやすくなる。
【００４８】
次に、払拭カートリッジにおけるウェブの弛みの発生及び巻取り動作について図１０及び図１１を参照して説明する。図１０はウェブの弛みの発生の説明に供する説明図、図１１は巻取り動作を行ったときの説明に供する説明図である。なお、図１０及び図１１では、上記実施形態における案内ローラ８、９を省略し、搬送ローラ４を繰り出し側ロール２Ａから繰り出されたウェブ２が最初に接触する部材（上記実施形態における案内ローラ８に相当する。）として図示している。
【００４９】
繰り出し側ロール２Ａから巻き取り側ロール２Ｂへとウェブ２を巻き取る構成は、ウェブ２を巻き取るにつれて、巻き取り側ロール２Ｂの巻き径が増えるため、ウェブ２の巻取りトルクが増大する。そのため、例えば、繰り出し側ロール２Ａを回転自在に支持することで、ウェブ２の巻き取り量に応じて変化する巻き取りトルクの増加を抑えることできる。
【００５０】
ここで、繰り出し側ロール２Ａを回転自在に支持した構成においては、図１０（ａ）に示すように巻き取り側ロール２Ｂを回転駆動してウェブ２を所定量巻き取り、図１０（ｂ）に示すように、巻き取り側ロール２Ｂの回転駆動を停止する。このとき、繰り出し側ロール２Ａは自由回転できるため、巻取り側ロール２Ｂの停止に繰り出し側ロール２Ａが追従しきれず、繰り出し側ロール２Ａに余分に回転してしまい、ウェブ２が余分に繰り出されることがある。
【００５１】
このよう、繰り出し側ロール２Ａを回転自在に支持していることにより、巻き取り側ロール２Ｂと繰り出し側ロール２Ａを同時に停止できない結果、図１０（ｃ）に示すように、繰り出し側ロール２Ａにウェブ２の弛み部分２ｃが発生する。
【００５２】
ここで、ウェブ２に弛み部分２ｃが発生した場合、図１１（ａ）に示すように、ウェブ２の最外周の巻き部分２ａと内側の巻き部分２ｂとが重なる重なり部分２ｄが発生する。このウェブ２の重なり部分２ｄにおけるウェブ２同士の摩擦力により、図１１（ｂ）に示すように、ウェブ２を巻き取るとき、繰り出し側ロール２Ａごと回転してしまう。そのため、ウェブ２の弛み部分２ｃだけを巻き取ることができず、弛み部分２ｃを解消できなくなる。そして、上述したように、巻取り動作を停止したときに繰り出し側ロール２Ａが余分に回転することで、徐々に弛み部分２ｃが大きくなっていく。
【００５３】
ウェブ２の弛み部分２ｃが大きくなり、他の箇所に接触することにより、未払拭のウェブ２にゴミやインク汚れが付いてしまうことがある。未払拭のウェブ２が汚れることで、本来であれば清潔なウェブ２によりノズル面４１１ａを払拭するところが、汚れが付着したウェブ２で払拭することになる。
【００５４】
そうすると、払拭面であるノズル面４１１ａの清掃性が下がったり、付着した異物（乾燥したインクなど）を払拭動作によりノズル面４１１ａに押し付けることになり、ノズル面４１１ａを傷つけたり、汚れをノズルに押し込んで吐出不良を引き起こしたり、弛んだウェブ２が絡まることで正常な巻き取り動作を阻害するという問題が生じる。
【００５５】
次に、案内ローラと繰り出し側ロールとの位置関係によるウェブのたるみの変化について図１２ないし図１４を参照して説明する。図１２ないし図１４は案内ローラと繰り出し側ロールとの異なる位置関係と弛みの状態の説明図である。なお、図１２ないし図１４では、繰り出し側ロール２Ａから繰り出されたウェブ２が最初に接触する部材としての案内ローラ８のみを図示している。
【００５６】
繰り出し側ロール２Ａと繰り出し側ロール２Ａから繰り出されたウェブ２が最初に接触する部材（案内ローラ８）の位置関係により、ウェブ２の弛みが発生したとき、次の巻き取り動作によって弛み部分２ｃを巻き取れるかどうかが異なる。
【００５７】
つまり、ウェブ２の弛み部分２ｃは重力により鉛直下方向に垂れる（無風、無稼動、他部材への接触無しの条件とする。）。
【００５８】
ここで、図１２に示す第１例では、繰り出し側ロール２Ａの軸心Ｏに対して、案内ローラ８がウェブ２の繰り出し側ロール２Ａの繰り出し側と反対側に配置されている。
【００５９】
この第１例の配置では、案内ローラ８と繰り出し側ロール２Ａの繰り出し側に接線を引いたとき、鉛直方向において、ウェブ２の巻き部分２ａが繰り出し側ロール２Ａから繰り出される位置Ｐは繰り出し側ロール２Ａの軸心Ｏより上方に位置する。
【００６０】
したがって、図１２（ａ）に示すように、ウェブ２の使用を開始した初期において、繰り出し側ロール２Ａの繰り出し位置Ｐより繰り出し方向上流側（ロール回転方向と逆方向上流側）で繰り出される最外周の巻き部分２ａとその内側の巻き部分２ｂとの重なり部分２ｄが生じる。
【００６１】
そのため、図１２（ｂ）に示すように、次の巻取り動作でウェブ２を送るとき、ウェブ２の重なり部分２ｄで生じるウェブ２同士の摩擦により、ウェブ２を巻き取っても、ウェブ２の弛み部分２ｃだけを巻き取ることができない。繰り出し側ロール２Ａごと回転してしまい、ウェブ２の弛みを解消できず、徐々に弛みが大きくなる。
【００６２】
同様に、図１２（ｃ）に示すように、ウェブ２がエンド付近になって繰り出し側ロール２Ａのロール径が小さくなっても、重なり部分２は解消されない。そのため、図１２（ｄ）に示すように、次の巻取り動作でウェブ２を送っても、ウェブ２の弛み部分２ｃだけを巻き取ることができない。
【００６３】
次に、図１３に示す第２例では、繰り出し側ロール２Ａの軸心Ｏの鉛直上でウェブ２が案内ローラ８に接触する位置になるように案内ローラ８が配置されている。
【００６４】
この第２例の配置でも、案内ローラ８と繰り出し側ロール２Ａの繰り出し側に接線を引いたとき、鉛直方向において、ウェブ２が繰り出し側ロール２Ａから繰り出される位置Ｐは繰り出し側ロール２Ａの軸心Ｏより上方に位置する。
【００６５】
したがって、図１３（ａ）に示すように、ウェブ２の使用を開始した初期において、繰り出し側ロール２Ａの繰り出し位置Ｐより繰り出し方向上流側（ロール回転方向と逆方向上流側）で繰り出される最外周の巻き部分２ａとその内側の巻き部分２ｂとの重なり部分２ｄが生じる。
【００６６】
そのため、図１３（ｂ）に示すように、次の巻取り動作でウェブ２を送るとき、ウェブ２の重なり部分２ｄで生じるウェブ２同士の摩擦により、ウェブ２を巻き取っても、ウェブ２の弛み部分２ｃだけを巻き取ることができない。繰り出し側ロール２Ａごと回転してしまい、ウェブ２の弛みを解消できず、徐々に弛みが大きくなる。
【００６７】
同様に、図１３（ｃ）に示すように、ウェブ２がエンド付近になって繰り出し側ロール２Ａのロール径が小さくなっても、重なり部分２ｄは解消されない。そのため、図１３（ｄ）に示すように、次の巻取り動作でウェブ２を送っても、ウェブ２の弛み部分２ｃだけを巻き取ることができない。
【００６８】
次に、図１４に示す第３例では、繰り出し側ロール２Ａの軸心Ｏに対して、案内ローラ８が繰り出し側ロール２Ａのウェブ２の繰り出し側と同じ側に配置されている。そして、案内ローラ８は、ウェブ２が案内ローラ８に接触する位置が、水平方向で繰り出し側ロール２Ａから繰り出される位置Ｐに対して、軸心Ｏと反対側に離間した位置になるように配置されている。
【００６９】
この第３例の配置構成では、案内ローラ８と繰り出し側ロール２Ａの繰り出し側に接線を引いたとき、ウェブ２が繰り出し側ロール２Ａから繰り出される位置Ｐは繰り出し側ロール２Ａの軸心Ｏより下方に位置することになる。
【００７０】
したがって、図１４（ａ）に示すように、ウェブ２の使用を開始した初期において、繰り出し側ロール２Ａのウェブ２の弛み部分２ｃがその下に巻かれたウェブ２に重なることがなくなる。
【００７１】
これにより、図１４（ｂ）に示すように、次の巻取り動作でウェブ２を送るとき、繰り出し側ロール２Ａが連れ回らず、ウェブ２の弛み部分２ｃだけを巻き取ることができるので、弛みが大きくなることが抑制される。
【００７２】
同様に、図１４（ｃ）に示すように、ウェブ２がエンド付近になって繰り出し側ロール２Ａのロール径が小さくなっても、重なり部分は生じない。そのため、図１４（ｂ）に示すように、次の巻取り動作でウェブ２を送るとき、繰り出し側ロール２Ａが連れ回らず、ウェブ２の弛み部分２ｃだけを巻き取ることができるので、弛みが大きくなることが抑制される。
【００７３】
次に、案内ローラと繰り出し側ロールとの位置関係によるウェブのたるみの変化について図１５及び図１６を参照して説明する。図１５及び図１６は案内ローラと繰り出し側ロールとの異なる位置関係と巻取り動作の説明図である。なお、図１５及び図１６では、繰り出し側ロール２Ａから繰り出されたウェブ２が最初に接触する部材としての案内ローラ８のみを図示している。
【００７４】
図１５は前述した第１例の配置構成であり、図１５（ａ）に示すように、繰り出し側ロール２Ａからのウェブ２の繰り出し位置Ｐが繰り出し側ロール２Ａの軸心Ｏより上方に位置している。この構成では、図１５（ｂ）に示すように、繰り出し側ロール２Ａの最外周のウェブ２とその内側のウェブ２とが重なる重なり部分２ｄが発生する。したがって、ウェブ２に弛み部分２ｃが生じる場合でも、重なり部分２ｄが発生する。
【００７５】
そのため、図１５（ｃ）に示すように、巻取り動作を行っても、重なり部分２ｄの摩擦によって繰り出し側ロール２Ａ自体が回転するので、ウェブ２の弛み部分２ｃだけを送ることができず。弛み部分２ｃは解消されない。
【００７６】
図１６は前述した第３例の配置構成であり、図１５（ａ）に示すように、繰り出し側ロール２Ａからのウェブ２の繰り出し位置Ｐが繰り出し側ロール２Ａの軸心Ｏより上方に位置している。この構成では、図１５（ｂ）に示すように、繰り出し側ロール２Ａの最外周のウェブ２とその内側のウェブ２とが重なる重なり部分２ｄが発生する。したがって、ウェブ２に弛み部分２ｃが生じる場合でも、重なり部分２ｄが発生する。
【００７７】
そのため、図１５（ｃ）に示すように、巻取り動作を行っても、重なり部分２ｄの摩擦によって繰り出し側ロール２Ａ自体が回転するので、ウェブ２の弛み部分２ｃだけを送ることができず。弛み部分２ｃは解消されない。
【００７８】
図１６は前述した第３例の配置構成であり、図１６（ａ）に示すように、繰り出し側ロール２Ａからのウェブ２の繰り出し位置Ｐが繰り出し側ロール２Ａの軸心Ｏより下方に位置している。この構成では、図１６（ｂ）に示すように、繰り出し側ロール２Ａの最外周のウェブ２とその内側のウェブ２とが重なる重なり部分２ｄが発生しない。したがって、ウェブ２に弛み部分２ｃが生じた場合、弛み部分２ｃは繰り出し側ロール２Ａの外周から離間して垂れた状態になる。
【００７９】
そのため、図１６（ｃ）に示すように、巻取り動作を行うことで、まずウェブ２の弛み部分２ｃだけが送られるので、弛み部分２ｃが解消される。
【００８０】
次に、上記第１例及び第３例における払拭ユニットの必要可動スペースについて図１７を参照して説明する。図１７は同必要可動スペースの説明に供する側面説明図である。なお、図１７では、上記実施形態における案内ローラ８、９を省略し、搬送ローラ４を繰り出し側ロール２Ａから繰り出されたウェブ２が最初に接触する部材（上記実施形態における案内ローラ８に相当する。）として図示している。
【００８１】
第１例の配置構成では、図１７（ａ）に示すように、鉛直方向において、搬送ローラ４などが繰り出し側ロール２Ａのほぼ上方に配置される構成となり、払拭方向において、押し付け部材１１と繰り出し側ロール２Ａの軸心との距離を短くできる。
【００８２】
したがって、ヘッド４１１のノズル面４１１ａを払拭するときには、ノズル面４１１ａの一端から他端までを払拭するので、第１例の配置構成では最小必要可動スペースは距離Ｌａとなる。
【００８３】
これに対して、第３例の配置構成では、図１７（ｂ）に示すように、払拭方向において、繰り出し側ロール２Ａから繰り出されたウェブ２が最初に接触する搬送ローラ４との接触位置が繰り出し側ロール２Ａの外周面から離間した位置に配置する必要がある。
【００８４】
そのため、払拭方向において、繰り出し側ロール２Ａ、搬送ローラ４、押し付け部材１１の順に略直列に並ぶ配置となり、押し付け部材１１と繰り出し側ロール２Ａの軸心との距離が第１例の配置構成よりも長くなる。
【００８５】
したがって、ヘッド４１１のノズル面４１１ａを払拭するときには、ノズル面４１１ａの一端から他端までを払拭するので、第３例の配置構成では最小必要可動スペースは距離Ｌｂ（Ｌｂ＞Ｌａ）となり、装置が大型化することになる。
【００８６】
このように第１例の配置構成（第２例も同じ）ではウェブの弛みを解消できないが、装置の小型化を図れる。一方、第３例の配置構成では、ウェブの弛みを解消できるものの、装置が大型化する
【００８７】
次に、上記第１実施形態に係る払拭カートリッジにおける巻取り動作について図１８を参照して説明する。図１８は同巻取り動作の説明に供する側面説明図である。なお、図１８では、上記実施形態における案内ローラ８、９を省略し、搬送ローラ４を繰り出し側ロール２Ａから繰り出されたウェブ２が最初に接触する部材（上記実施形態における案内ローラ８に相当する。）として図示している。
【００８８】
本実施形態に係る払拭カートリッジ１００は、前述したように、繰り出し側ロール２Ａから繰り出されるウェブ２の最外周の巻き部分２ａと最外周の巻き部分２ａが重なる内側の巻き部分２ｂとの間に、仕切り部材１７が挟まれて配置されている。
【００８９】
これにより、図１８（ａ）に示すように、第１例の配置構成とすることでウェブ２の重なり部分が生じる場合でも、繰り出されるウェブ２は仕切り部材１７と接触するので、繰り出されるウェブ２と繰り出し側ロール２Ａとの摩擦が軽減され、繰り出されるウェブ２によって繰り出し側ロール２Ａが連れ回ることがない。
【００９０】
したがって、ウェブ２の弛み部分２ｃが生じた場合でも、図１８（ｂ）に示すように、巻取り動作を行うときに、まず弛み部分２ｃが送られて、弛み部分２ｃのみを巻き取ることができる。
【００９１】
このように、ウェブ２の巻き取り動作によりウェブ２の弛みが発生しても、その次の巻き取り動作を行うことで弛み部分２ｃを巻き取ることができ、繰り出し側ロール２Ａにおけるウェブ２の弛みが大きくなることを抑制できる。
【００９２】
そして、前述したように、第１例の配置構成とすることで、押し付け部材１１と繰り出し側ロール２Ａとを近づけて配置することができて、必要可動スペースが相対的に短くなり、小型化を図れる。
【００９３】
次に、払拭動作に伴う繰り出し側ロール及び巻取り側ロールの遷移状態について図１９ないし図２１を参照して説明する。図１９ないし図２１は同説明に供する側面説明図である。
【００９４】
まず、前述した図６に示すように、初期状態では、繰り出し側ロール２Ａの外径が大きく、巻取り側ロール２Ｂの外径は小さい状態（又は、巻き取られていない状態）である。そして、繰り出し側ロール２Ａの自重によって、繰り出しローラ３はガイド溝１０２の下端位置に移動しており、巻取りローラ６に最も近付いている。
【００９５】
この初期状態における繰り出しローラ３と巻取りローラ６との軸心間距離が最短軸心間距離Ｌ１となる。
【００９６】
この初期状態から払拭動作を繰り返し行うことで、繰り出し側ロール２Ａからウェブ２が繰り出されて巻取り側ロール２Ｂ側に巻き取られ、繰り出し側ロール２Ａの外径が小さくなり、巻取り側ロール２Ｂの外径が大きくなる。
【００９７】
そして、巻取り側ロール２Ｂへの巻取りが進むと、例えば図１９に示すように、巻取り側ロール２Ｂの外周が繰り出し側ロール２Ａの外周と接触する。この状態になるまでは最短軸心間距離Ｌ１が維持される。
【００９８】
さらに、図２０に示すように、巻取り側ロール２Ｂの外径が大きくなるに従って繰り出し側ロール２Ａが押される。これにより、繰り出しローラ３はガイド溝１０２に沿って、矢印方向に、巻取りローラ６から離れながら斜め上方向に移動する。
【００９９】
そして、巻取り側ロール２Ｂの外径と繰り出し側ロール２Ａの外径がほぼ同じになる。このとき、繰り出しローラ３と巻取りローラ６との軸心間距離Ｌ２は、最長軸心間距離となる（Ｌ２＞Ｌ１）。
【０１００】
さらに、ウェブ２がすべて使用済になると、図２１に示すように、繰り出し側ロール２Ａの外径が最小となり、巻取り側ロール２Ｂの外径が最大径となる。
【０１０１】
このように、本実施形態では、繰り出し側ロール２Ａの軸芯部材（繰り出しローラ３３）及び巻取り側ロール２Ｂの軸芯部材（巻取りローラ６）の少なくとも一方、ここでは繰り出しローラ３３は、他方の巻取りローラ６に対して相対移動可能に配置されている。
【０１０２】
ここで、繰り出しローラ３３及び巻取りローラ６がいずれも相対移動のしない構成である場合、前述した図２０の状態を採れるように、繰り出しローラ３３と巻取りローラ６とを最長軸心間距離Ｌ２の間隔で配置しておかなければならない。
【０１０３】
そのため、ウェブ２の長さが長くなって繰り出し側ロール２Ａの最大外径が大きくなると、それに伴って繰り出しローラ３３と巻取りローラ６との軸心間距離を長くしなければならず、ロールユニット及びロール装置が大型化することになる。一方、ロールユニット及びロール装置の大型化を避けるためには繰り出し側ロールの外径が大きくならないようにしなければならず、ウェブ２の交換頻度が高くなることになる。
【０１０４】
これに対し、本実施形態のように、繰り出しローラ３３が巻取りローラ６に対して相対移動して軸心間距離を変化できるように構成することで、繰り出しローラ３３と巻取りローラ６とを最長軸心間距離Ｌ２よりも短い間隔で配置することができる。
【０１０５】
これにより、繰り出し側ロールの長尺化による大径化によって払拭部材（ロール）の交換頻度を抑えつつ、払拭ユニット（ロールユニット、払拭カートリッジ）及び払拭装置（ロール装置）の小型化を図ることができる。
【０１０６】
なお、本実施形態では、繰り出しローラ３が巻取りローラ６に対して相対移動する構成で説明しているが、巻取りローラ６が繰り出しローラ３に対して相対移動する構成とすることもできる。ただし、巻取りローラ６を回転駆動するため、従動する繰り出しローラ３を相対移動させる構成の方が簡単になる。
【０１０７】
次に、本発明の第２実施形態について図２２及び図２３を参照して説明する。図２２は同実施形態に係る払拭ユニット（ロールユニット）として払拭カートリッジの側面説明図、図２３は同じくウェブの弛みが発生した状態の側面説明図である。
【０１０８】
本実施形態では、繰り出し側ロール２から繰り出されたウェブ２が最初に接触するガイド部材としてのローラ部材１９を有している。ローラ部材１９は、繰り出し側ロール２Ａからのウェブ２の繰り出し位置Ｐが、繰り出し側ロール２Ａの軸心Ｏよりも鉛直方向下方になる位置に配置されている。
【０１０９】
このように構成したので、前記第３例の配置構成と同様に、繰り出し側ロール２Ａでウェブ２の重なり部分が発生しない。したがって、図２３に示すように、ウェブ２に弛み部分２ｃが生じた場合でも、次の巻取り動作で、まず、弛み部分２ｃを送ることができ、このとき繰り出し側ロール２Ａは回転しないので、弛みが増加することが抑制される。
【０１１０】
このとき、ガイド部材（ローラ部材１９）は、払拭方向において、巻取り側ロール２Ｂに近い側（押し付け部材１１の下方）に配置している。これにより、払拭方向におけるサイズを小さくしている。
【０１１１】
なお、ガイド部材としてはローラ部材に限るものではなく、単なる板状部材や曲面部材でもよい。
【０１１２】
次に、本発明に係る液体を吐出する装置の一例について図２４及び図２５を参照して説明する。図２４は同装置の機構部の平面説明図、図２５は同じく要部側面説明図である。
【０１１３】
この液体を吐出する装置４００は、シリアル型装置である。左右の側板４０１Ａ、４０１Ｂに架け渡した主ガイド部材４０２及び従ガイド板４０３などのガイド機構でキャリッジ４０５を主走査方向に移動可能に保持している。
【０１１４】
キャリッジ４０５には、３つの液体吐出ユニット４１０（４１０ａ〜４１０ｃ）を搭載している。液体吐出ユニット４１０は、液体吐出手段としての液体吐出ヘッド（ヘッド）４１１と、ヘッド４１１に液体を供給するサブタンク４１２とを一体化して構成している。
【０１１５】
装置本体側には、各色の液体を収容した複数のメインタンク（液体カートリッジ）４２０が交換可能に装着されるカートリッジホルダ４２１が配置されている。このカートリッジホルダ４２１に装着されたメインタンク４２０から送液ポンプなどによって各色の供給チューブで構成した液体経路４２３を介して各液体吐出ユニット４１０のヘッド４１１に各色の液体が供給される。
【０１１６】
一方、シート材４３０を搬送方向に搬送するために、シート材４３０を吸着してヘッド４１１に対向して搬送する搬送手段４４０を備えている。
【０１１７】
搬送手段４４０は、搬送ローラ４４１と、搬送ローラ４４１に加圧されて接触する加圧ローラ４４２と、ヘッド４１１に対向するプラテン部材４４３と、プラテン部材４４３の吸引孔４４３ａを介してシート材４３０を吸着する吸引機構部４３４などで構成される。なお、図では吸引孔４４３ａは部分的に図示しているが、プラテン部材４４３の全体に配置される。
【０１１８】
また、キャリッジ４０５の主走査方向の一方側にはヘッド４１１の維持回復（メンテナンス）を行う維持回復機構４５０が配置されている。
【０１１９】
維持回復機構４５０は、本発明に係るヘッドメンテナンス装置であり、例えばヘッド４１１のノズル面４１１ａをキャッピングするキャップ４５１と、ノズル面４１１ａを払拭する本発明に係る払拭装置１の払拭カートリッジ１００を備えている。
【０１２０】
この液体を吐出する装置４００においては、シート材４３０を搬送ローラ４４１及び加圧ローラ４４２によってプラテン部材４４３上を吸着しながら搬送方向に搬送する。
【０１２１】
そこで、キャリッジ４０５を主走査方向に移動させながら印刷信号に応じてヘッド４１１を駆動することにより、停止しているシート材４３０に所要の色の液体を吐出して１行分を印刷し、シート材４３０を所定量搬送後、次の行の印刷を行うことを繰り返して印刷し、シート材４３０を排出する。
【０１２２】
このように、本発明に係る払拭装置を含むメンテナンス装置を備えていることで、ヘッド面を清浄化して安定した液体吐出を行うことができ、また、装置の小型化を図ることができる。
【０１２３】
上記実施形態においては、ウェブ状部材としてウェブなどの払拭部材を使用したロールユニットとしての払拭カートリッジ、ロール装置としての払拭装置、メンテナンス装置、液体を吐出する装置について説明したが、ウェブ状部材は払拭部材に限るものではない。例えば、ロール紙のロールユニット、ロール装置等にも応用可能である。
【０１２４】
つまり、繰り出し側ロール及び巻取り側ロールに巻かれる対象はウェブだけに限定されるものではなく、ロール紙などの紙類、ラベル、テープ、衣類等に用いる生地など、一般的にロール状に巻かれるもの（ウェブ状部材）であれば本発明を適用することができる。
【０１２５】
また、ウェブ状部材の厚さや素材も限定されない。ウェブ状部材の搬送ルート（這い回し）やロールの配置は、ロールユニットやロール装置の用途に応じて適宜変更可能である。
【０１２６】
本発明は、ロールの移動のしやすさを考慮すると、繰り出し側ロールとして巻かれているウェブ状部材の総重量が小さい製品に対して特に有効である。
【０１２７】
本願において、吐出される液体は、ヘッドから吐出可能な粘度や表面張力を有するものであればよく、特に限定されないが、常温、常圧下において、または加熱、冷却により粘度が３０ｍＰａ・ｓ以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどであり、これらは例えば、インクジェット用インク、表面処理液、電子素子や発光素子の構成要素や電子回路レジストパターンの形成用液、３次元造形用材料液等の用途で用いることができる。
【０１２８】
液体を吐出するエネルギー発生源として、圧電アクチュエータ（積層型圧電素子及び薄膜型圧電素子）、発熱抵抗体などの電気熱変換素子を用いるサーマルアクチュエータ、振動板と対向電極からなる静電アクチュエータなどを使用するものが含まれる。
【０１２９】
「液体吐出ユニット」は、液体吐出ヘッドに機能部品、機構が一体化したものであり、液体の吐出に関連する部品の集合体が含まれる。例えば、「液体吐出ユニット」は、ヘッドタンク、キャリッジ、供給機構、維持回復機構、主走査移動機構の構成の少なくとも一つを液体吐出ヘッドと組み合わせたものなどが含まれる。
【０１３０】
ここで、一体化とは、例えば、液体吐出ヘッドと機能部品、機構が、締結、接着、係合などで互いに固定されているもの、一方が他方に対して移動可能に保持されているものを含む。また、液体吐出ヘッドと、機能部品、機構が互いに着脱可能に構成されていても良い。
【０１３１】
例えば、液体吐出ユニットとして、液体吐出ヘッドとヘッドタンクが一体化されているものがある。また、チューブなどで互いに接続されて、液体吐出ヘッドとヘッドタンクが一体化されているものがある。ここで、これらの液体吐出ユニットのヘッドタンクと液体吐出ヘッドとの間にフィルタを含むユニットを追加することもできる。
【０１３２】
また、液体吐出ユニットとして、液体吐出ヘッドとキャリッジが一体化されているものがある。
【０１３３】
また、液体吐出ユニットとして、液体吐出ヘッドを走査移動機構の一部を構成するガイド部材に移動可能に保持させて、液体吐出ヘッドと走査移動機構が一体化されているものがある。また、液体吐出ヘッドとキャリッジと主走査移動機構が一体化されているものがある。
【０１３４】
また、液体吐出ユニットとして、液体吐出ヘッドが取り付けられたキャリッジに、維持回復機構の一部であるキャップ部材を固定させて、液体吐出ヘッドとキャリッジと維持回復機構が一体化されているものがある。
【０１３５】
また、液体吐出ユニットとして、ヘッドタンク若しくは流路部品が取付けられた液体吐出ヘッドにチューブが接続されて、液体吐出ヘッドと供給機構が一体化されているものがある。このチューブを介して、液体貯留源の液体が液体吐出ヘッドに供給される。
【０１３６】
主走査移動機構は、ガイド部材単体も含むものとする。また、供給機構は、チューブ単体、装填部単体も含むものする。
【０１３７】
「液体を吐出する装置」には、液体吐出ヘッド又は液体吐出ユニットを備え、液体吐出ヘッドを駆動させて液体を吐出させる装置が含まれる。液体を吐出する装置には、液体が付着可能なものに対して液体を吐出することが可能な装置だけでなく、液体を 気中や液中に向けて吐出する装置も含まれる。
【０１３８】
この「液体を吐出する装置」は、液体が付着可能なものの給送、搬送、排紙に係わる手段、その他、前処理装置、後処理装置なども含むことができる。
【０１３９】
例えば、「液体を吐出する装置」として、インクを吐出させて用紙に画像を形成する装置である画像形成装置、立体造形物（三次元造形物）を造形するために、粉体を層状に形成した粉体層に造形液を吐出させる立体造形装置（三次元造形装置）がある。
【０１４０】
また、「液体を吐出する装置」は、吐出された液体によって文字、図形等の有意な画像が可視化されるものに限定されるものではない。例えば、それ自体意味を持たないパターン等を形成するもの、三次元像を造形するものも含まれる。
【０１４１】
上記「液体が付着可能なもの」とは、液体が少なくとも一時的に付着可能なものであって、付着して固着するもの、付着して浸透するものなどを意味する。具体例としては、用紙、記録紙、記録用紙、フィルム、布などの被記録媒体、電子基板、圧電素子などの電子部品、粉体層（粉末層）、臓器モデル、検査用セルなどの媒体であり、特に限定しない限り、液体が付着するすべてのものが含まれる。
【０１４２】
上記「液体が付着可能なもの」の材質は、紙、糸、繊維、布帛、皮革、金属、プラスチック、ガラス、木材、セラミックスなど液体が一時的でも付着可能であればよい。
【０１４３】
また、「液体を吐出する装置」は、液体吐出ヘッドと液体が付着可能なものとが相対的に移動する装置があるが、これに限定するものではない。具体例としては、液体吐出ヘッドを移動させるシリアル型装置、液体吐出ヘッドを移動させないライン型装置などが含まれる。
【０１４４】
また、「液体を吐出する装置」としては、他にも、用紙の表面を改質するなどの目的で用紙の表面に処理液を塗布するために処理液を用紙に吐出する処理液塗布装置、原材料を溶液中に分散した組成液を、ノズルを介して噴射させて原材料の微粒子を造粒する噴射造粒装置などがある。
【０１４５】
なお、本願の用語における、画像形成、記録、印字、印写、印刷、造形等はいずれも同義語とする。
【符号の説明】
【０１４６】
１  払拭装置（ロール装置）
２  ウェブ
２Ａ  繰り出し側ロール
２Ｂ  巻取り側ロール
３  繰り出しローラ
４、５  搬送ローラ
６  巻取りローラ
８、９  案内ローラ
１７  仕切り部材
１９  ローラ部材（ガイド部材）
１００  払拭カートリッジ（ロールユニット）
４１１  液体吐出ヘッド
４１１ａ  ノズル面（払拭対象）
４５０  維持回復機構（ヘッドメンテナンス装置）
【図１】
2020040238.tif 000003
【図２】
2020040238.tif 000004
【図３】
2020040238.tif 000005
【図４】
2020040238.tif 000006
【図５】
2020040238.tif 000007
【図６】
2020040238.tif 000008
【図７】
2020040238.tif 000009
【図８】
2020040238.tif 000010
【図９】
2020040238.tif 000011
【図１０】
2020040238.tif 000012
【図１１】
2020040238.tif 000013
【図１２】
2020040238.tif 000014
【図１３】
2020040238.tif 000015
【図１４】
2020040238.tif 000016
【図１５】
2020040238.tif 000017
【図１６】
2020040238.tif 000018
【図１７】
2020040238.tif 000019
【図１８】
2020040238.tif 000020
【図１９】
2020040238.tif 000021
【図２０】
2020040238.tif 000022
【図２１】
2020040238.tif 000023
【図２２】
2020040238.tif 000024
【図２３】
2020040238.tif 000025
【図２４】
2020040238.tif 000026
【図２５】
2020040238.tif 000027